(57)【要約】 【課題】  オシロメトリック方式によるダブルカフ方式の脈波検出用空気袋に対する阻血用空気袋の上流部の容積変化の影響をより効果的に排除し、収縮期血圧の検出のためのＳ／Ｎ比を向上できる血圧測定装置および血圧測定方法の提供。【解決手段】  カフ本体（５）と、阻血用空気袋（１）と、心臓側に配置されるサブ空気袋（３）と、脈波を検出する脈波検出用空気袋（２）と、第１流体抵抗器（２１）を介して接続した第１配管（６）と、逆止弁（２２）と、第２流体抵抗器（１１）を介して接続される第２配管（７）とを備えたカフ本体（１００）と、カフ圧検出部（１３）と、カフ組立体の加圧を行う加圧手段（１８）に接続される加圧制御部（１９）と、減圧を行う減圧制御部（２０）と、脈波を検出脈波信号に変換し重畳する脈波を検出する脈波検出部（１４）と、脈波検出部からの出力と検出カフ圧信号とに基づき血圧値を決定する血圧検出部（１５）と血圧検出部からの血圧値を表示する血圧表示部（１６）とを備える。【選択図】図１
2008005926.tif 000002
【特許請求の範囲】
【請求項１】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管とを備え、血圧測定部に装着されるカフ本体と、
前記カフ本体と前記第２配管にて接続されるカフ圧力検出部と、
前記カフ本体と前記第１配管にて接続され、前記カフ本体を加圧する加圧手段段と、    前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部とを備えた本体と、を備えることを特徴とする血圧測定装置。
【請求項２】
前記阻血用空気袋と前記サブ空気袋との間にパッキング材を含む第１裏打部材を、また前記阻血用空気袋と前記脈波検出用空気袋との間にパッキング材を含む第２裏打部材を配置したことを特徴とする請求項１に記載の血圧測定装置。
【請求項３】
前記阻血用空気袋と前記カフ本体との間にパッキング材を含む第３裏打部材を配置したことを特徴とする請求項１または２に記載の血圧測定装置。
【請求項４】
前記第１流体抵抗器と前記第２流体抵抗器は、略等しい流体抵抗を有することを特徴とする請求項１乃至３のいずれか１項に記載の血圧装置。
【請求項５】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管とを備え、血圧測定部に装着されるカフ本体を用いた血圧測定方法であって、
前記カフ本体と前記第２配管にて接続されるカフ圧力検出部と、
前記カフ本体と前記第１配管にて接続され、前記カフ本体を加圧する加圧手段段と、    前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部とを備え、
前記加圧制御部を介して前記動脈を圧迫する工程と、
前記圧力検出部により、前記脈波を検出脈波信号に変換する工程と、
前記減圧制御部を介して前記カフ組立体を減圧する工程と、
脈波検出部において、前記検出脈波信号に重畳する脈波を検出する工程と、
血圧検出部において、前記脈波検出部の出力と、前記カフ圧力検出部の検出カフ圧信号とに基づき血圧値を決定する工程と、
血圧表示部において、前記血圧検出部からの血圧値を表示する工程と、を備えることを特徴とする血圧測定方法。
【請求項６】
血圧測定部位の動脈を圧迫する阻血用空気袋と、
血圧測定部位に装着時に前記阻血用空気袋と生体との間にて前記阻血用空気袋の略中央部よりも心臓側に配置されるサブ空気袋と、
血圧測定部位に装着時に前記阻血用空気袋と生体との間にて前記阻血用空気袋の略中央部よりも心臓側に配置される脈波検出用空気袋と、
前記阻血用空気袋と前記サブ空気袋との間に接続される第１流体抵抗器と、
前記第１流体抵抗器と並行に、その入力側を前記阻血用空気袋側に、その出力側を前記サブ空気袋側に接続した逆止弁と、
前記阻血用空気袋と接続される第１配管と、
前記脈波検出用空気袋に第２流体抵抗器を介して接続される第２配管とを備え、血圧測定部に装着されるカフ本体を用いた血圧測定方法であって、
前記カフ本体と前記第２配管にて接続されるカフ圧力検出部と、
前記カフ本体と前記第１配管にて接続され、前記カフ本体を加圧する加圧手段段と、    前記加圧手段を制御する加圧制御部と、
前記カフ本体と前記第１配管にて接続され、前記カフ本体を減圧する減圧制御部と、
前記カフ圧力検出部に電気的に接続され、脈波を検出脈波信号に変換し、検出脈波信号に重畳する脈波を検出する脈波検出部と、
前記脈波検出部からの出力と、前記カフ圧力検出部の検出カフ圧信号とに基づき血圧値を決定する血圧検出部と、
前記血圧検出部の血圧値を表示する血圧表示部とを備え、
前記加圧制御部を介して前記動脈を圧迫する工程のプログラムと、
前記圧力検出部により、前記脈波を検出脈波信号に変換する工程のプログラムと、
前記減圧制御部により、前記カフ組立体を減圧する工程のプログラムと、
脈波検出部で、前記検出脈波信号に重畳する脈波を検出する工程のプログラムと、
血圧検出部において、前記脈波検出部の出力と、前記カフ圧力検出部の検出カフ圧信号とに基づき血圧値を決定する工程のプログラムと、
血圧表示部において、前記血圧検出部からの血圧値を表示する工程のプログラムと、からなる血圧測定方法のプログラムが記憶されたことを特徴とするコンピュータ読取り可能な記憶媒体。
【発明の詳細な説明】
【技術分野】
【０００１】
本発明は、血圧測定用カフ、血圧測定装置とに係り、特に阻血用カフを用いるオシロメトリツク方式を用いて非観血血圧測定を行う血圧測定用カフとそれを用いた血圧測定装置に関する。
【背景技術】
【０００２】
従来のオシロメトリック方式の血圧計によれば、収縮期血圧以上の高い圧力までカフの圧力を徐々に上昇させるか、または収縮期血圧より高い圧力より下降させながらカフの下に位置した動脈の容積変化に基づいて、カフ圧力の振動を検出し、振動の振幅変化により血圧を決定していた。
【０００３】
このようなカフを用いた血圧測定法における収縮期血圧の求め方はカフの圧力を動脈内の最高圧力である収縮期血圧以上に上げることで、動脈の血流が止まる一方で、下げることで血流は流れる現象を検出して求めている。
【０００４】
これに対して、現在広く普及しているコロトコフ方式(聴診法)によれば、収縮期血圧以上にカフの圧力を上げて一度血流を止めた後に、徐々にカフの圧力を降下させ、血流の再開するタイミングで発生するコロトコフ音をカフの下流側で検出することにより収縮期血圧値（最高血圧値）を求めるものである。
【０００５】
上記のオシロメトリツク方式は、血流が再開する現象を、カフ下の動脈容積変化に基づくカフの圧力振動として捕らえる方法である。このため、オシロメトリック方式は、コロトコフ方式との比較においてコロトコフ音の検出を行うためのセンサー(含む聴診器)が不要となる。
【０００６】
聴診法では血圧測定時に発生するノイズ(カフ布、カフチューブの擦過音、振動)は、ノイズの周波数成分がコロトコフ音の周波数成分に近いことから誤検出されやすい欠点を有する。これに対してオシロメトリツク方式の測定時における圧力変動の周波数成分は、コロトコフ音の周波数成分より低く、血圧測定時に発生するノイズ周波数と大きく乖離しているために、ノイズの影響を受けず、また被測定部位となる動脈に対するカフ装着時の位置ずれがあっても測定可能な方法であることから、主に自動血圧計用として用いられている。
【０００７】
しかしながら、オシロメトリツク方式にはカフに用いられるリバロッチカフの血管圧迫特性に起因する収縮期血圧（最大血圧値）の検出に問題がある。すなわち、リバロッチカフは幅方向の中央部ではカフ圧力を反映した圧迫力を得ることができるが、中央部よりズレるとカフ圧を反映した圧迫力が得られず、中央部からカフの端部方向に圧迫力が徐々に減少してしまい、端部ではゼロとなる特性を示す。
【０００８】
このような特性により、まさに収縮期血圧を測定しようとするタイミングにてカフ圧力が、収縮期血圧に近くやや高い状態の時に、血流はカフの中央部で止められていることになる。この結果、血流は心臓の拍動に同期して、カフの上流部からカフの中央部まで侵入しては戻される現象が生じる。この現象によって、収縮期血圧の検出ターゲットとなるカフの下流側（前腕側）への血流の再開現象を検出するために用いられる脈波の発生する以前から既に脈波が検出されてしまう。
【０００９】
また、カフのカフ圧力が収縮期血圧以下になり、血流が再開するとこの血流による容積変化が、カフ下の中央部から下流側で発生するが、この容積変化は、カフ圧力が動脈圧よりわずかに低い状態であるため、血管がわずかな時問の間、開いた後にすぐに閉じてしまう。この時の、カフ下の下流側の容積変化は、上流側の容積変化に比較すると非常に小さい。
【００１０】
オシロメトリック方式で検出される脈波は、上述のカフ下の上流側の容積変化と下流側の容積変化が重なった容積変化に基づいているので、脈波より血流再開に基づく変化のみを選択して検出することは、特に血流量が小さい場合には非常に困難になる。以上が、オシロメトリック方式がコロトコフ方式に較べて、収縮期血圧の測定におけるＳ／Ｎ比の悪化を招く原因となっている。
【００１１】
これらの血流の再開現象の検出における問題点を解決するため、従来より、以下の対策を図っている。カフの圧力を収縮期血圧からさらに下降させていくと心臓の拍動周期の内、動脈圧がカフの圧力より高くなる時問が長くなることによるカフ下の下流側の容積変化の増加により、徐々に脈波の振幅が大きくなる。
【００１２】
また、鬱血の度合いにもよるが、カフより末梢部位の血管内圧がカフ圧より大きくなると、末梢からの圧反射が発生し、この反射によりあるカフ圧から脈波が急に大きくなる。さらにカフ圧の減圧が進むと、カフの内圧よりも末梢部位の血管内圧が大きくなる時間が長くなり、血管が閉じている時間が無くなる寸前では、カフの上流部位と末梢部の血管が同時に全開となり脈波の振幅が最大となる。
【００１３】
このときの容積変化は、収縮期血圧測定時のタイミングにおけるカフ下の容積変化は主にカフ下の血管容積の５０％に相当するカフ中心部より上流側の変化であるので、収縮期血圧測定時脈波振幅の約２倍になる。これを利用して、最大脈波振幅の約５０％の脈波振幅になるタイミングを収縮期血圧とする方法を採用している。
【００１４】
しかしながら、この割合は、カフの巻き方によるカフ下の脈波形成に寄与する上流部、下流部の容積のアンバランス、カフのコンプライアンスの差、末梢部位の血管内圧の上昇の程度、タイミングの影響を受ける。また、この末梢部位の血管内圧の上昇には、血圧測定の繰り返し時問の短さによる鬱血の程度が影響するが、主として生体の個体差である血圧値、末梢循環の程度、末梢側の血管コンプライアンスが影響している。
【００１５】
これらの問題解決を図るためにダブルカフ方式が考案されている。このダブルカフ方式は、血管の圧迫に用いる阻血用空気袋と、阻血用空気袋下の中央部において脈波のみを検出する検出用空気袋を阻血機能とは分離して設けた方式である。このダブルカフ方式によれば、オシロメトリック方式で問題となる上記の収縮期血圧測定時の阻血用空気袋下の上流側の容積変化に基づく脈波の影響を軽減でき、収縮期血圧の決定の目安になる阻血用空気袋下の下流側の容積変化をＳ／Ｎ比良く検出することができる。（特許文献１）
しかし、収縮期血圧の検出タイミングでは、阻血用空気袋下の上流側に侵入する血流は脈波検出用空気袋のすぐそばまで侵入する場合があり、これを脈波検出用空気袋が検出し、また、脈波検出用空気袋を阻血用空気袋下に設けているので、阻血用空気袋で検出された阻血用空気袋下の上流側の容積変化に基づくカフの振動が接している脈波検出用空気袋に顕著に伝わる現象が見られる場合もあり、収縮期血圧の測定のＳ／Ｎ比を悪化させることがあった。
【００１６】
そこで、阻血用空気袋にて血管が圧閉されている時に脈波検出用空気袋ヘの上流側から侵入してくる血流を近づけないように、脈波検出用空気袋の圧迫性能を上げるためのバッキングを設置し、脈波検出用空気袋と阻血用空気袋の間に阻血用空気袋からの伝達脈波をダンピングするための緩衝材を設置し、さらに阻血用空気袋下の上流側に脈波をダンピングするための緩衝材を設ける提案もなされている。（特許文献２）
しかしながら、この提案によれば、脈波検出用空気袋の圧迫力の向上をできるが、阻血ポイントを脈波検出用空気袋から離す程度にも限界がある。また、使用部材のダンピング特性にも限界があるので、脈波の比較的高い周波数成分の減衰は行うことができるが低い成分までは十分に減衰することができない場合もあった。このため、収縮期血圧をＳ／Ｎ比良く検出することができない場合があった。
【特許文献１】特開２００４−１９５０５６号公報
【特許文献２】特開２００４−３２１２５１号公報
【発明の開示】
【発明が解決しようとする課題】
【００１７】
したがって、本発明はこのような状況に鑑みてなされたものであり、オシロメトリック方式の改良型であるダブルカフ法の脈波検出用空気袋に対する阻血用空気袋の上流部の容積変化の影響をより効果的に排除することで、収縮期血圧の検出のためのＳ／Ｎ比を向上することを目的としている。
【課題を解決するための手段】
【００１８】
上述した課題を解決するために、本発明の血圧測定装置によれば、血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管とを備え、血圧測定部に装着されるカフ本体と、前記カフ本体と前記第２配管にて接続されるカフ圧力検出部と、前記カフ本体と前記第１配管にて接続され、前記カフ本体を加圧する加圧手段段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部とを備えた本体と、を備えることを特徴としている。
【００１９】
また、前記阻血用空気袋と前記サブ空気袋との間にパッキング材を含む第１裏打部材を、また前記阻血用空気袋と前記脈波検出用空気袋との間にパッキング材を含む第２裏打部材を配置したことを特徴としている。
【００２０】
また、前記阻血用空気袋と前記カフ本体との間にパッキング材を含む第３裏打部材を配置したことを特徴としている。
【００２１】
また、前記第１流体抵抗器と前記第２流体抵抗器は、略等しい流体抵抗を有することを特徴としている。
【００２２】
また、血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管とを備え、血圧測定部に装着されるカフ本体を用いた血圧測定方法であって、
前記カフ本体と前記第２配管にて接続されるカフ圧力検出部と、前記カフ本体と前記第１配管にて接続され、前記カフ本体を加圧する加圧手段段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部とを備え、前記加圧制御部を介して前記動脈を圧迫する工程と、前記圧力検出部により、前記脈波を検出脈波信号に変換する工程と、前記減圧制御部を介して前記カフ組立体を減圧する工程と、脈波検出部において、前記検出脈波信号に重畳する脈波を検出する工程と、血圧検出部において、前記脈波検出部の出力と、前記カフ圧力検出部の検出カフ圧信号とに基づき血圧値を決定する工程と、血圧表示部において、前記血圧検出部からの血圧値を表示する工程と、を備えることを特徴としている。
【００２３】
また、血圧測定部位の動脈を圧迫する阻血用空気袋と、血圧測定部位に装着時に前記阻血用空気袋と生体との間にて前記阻血用空気袋の略中央部よりも心臓側に配置されるサブ空気袋と、血圧測定部位に装着時に前記阻血用空気袋と生体との間にて前記阻血用空気袋の略中央部よりも心臓側に配置される脈波検出用空気袋と、前記阻血用空気袋と前記サブ空気袋との間に接続される第１流体抵抗器と、前記第１流体抵抗器と並行に、その入力側を前記阻血用空気袋側に、その出力側を前記サブ空気袋側に接続した逆止弁と、前記阻血用空気袋と接続される第１配管と、前記脈波検出用空気袋に第２流体抵抗器を介して接続される第２配管とを備え、血圧測定部に装着されるカフ本体を用いた血圧測定方法であって、
前記カフ本体と前記第２配管にて接続されるカフ圧力検出部と、前記カフ本体と前記第１配管にて接続され、前記カフ本体を加圧する加圧手段段と、前記加圧手段を制御する加圧制御部と、前記カフ本体と前記第１配管にて接続され、前記カフ本体を減圧する減圧制御部と、前記カフ圧力検出部に電気的に接続され、脈波を検出脈波信号に変換し、検出脈波信号に重畳する脈波を検出する脈波検出部と、前記脈波検出部からの出力と、前記カフ圧力検出部の検出カフ圧信号とに基づき血圧値を決定する血圧検出部と、前記血圧検出部の血圧値を表示する血圧表示部とを備え、前記加圧制御部を介して前記動脈を圧迫する工程のプログラムと、前記圧力検出部により、前記脈波を検出脈波信号に変換する工程のプログラムと、前記減圧制御部により、前記カフ組立体を減圧する工程のプログラムと、脈波検出部で、前記検出脈波信号に重畳する脈波を検出する工程のプログラムと、血圧検出部において、前記脈波検出部の出力と、前記カフ圧力検出部の検出カフ圧信号とに基づき血圧値を決定する工程のプログラムと、血圧表示部において、前記血圧検出部からの血圧値を表示する工程のプログラムと、からなる血圧測定方法のプログラムが記憶されたことを特徴としている。
【００２４】
ここで、さらなる本発明の特徴は、以下本発明を実施するための最良の形態および添付図面によって明らかになるものである。
【発明の効果】
【００２５】
本発明によれば、カフに用いられるリバロッチカフの欠点である圧迫圧のカフ中央部よりカフ端に向けて生じる圧迫圧力の減少変化を無くすことができる。具体的には、カフと同じ圧力を加えたサブ空気袋の圧迫力で補強し、収縮期血圧測定のタイミングにおいて、カフ下の上流部に血液が流入することを阻止し、また、カフの上流側から阻血用空気袋の中央部に向けて流入する血液により発生される容積変化をサブ空気袋でガードし、さらにサブ空気袋に接続された流体抵抗器により適度に減衰させて、阻血用空気袋に容積変化が伝わることを防止し、血流再開に基づいたカフ下の下流側の容積変化による脈波変化のみをＳ／Ｎ比を向上させて精度よく検出することが可能となる。
【発明を実施するための最良の形態】
【００２６】
以下に、本発明の実施形態について添付の図面を参照して説明すると、図１は本発明の一実施形態の血圧測定装置を示すブロック図である。
【００２７】
本図の実施形態によれば、カフ本体１００は、血圧測定部位となる腕上に装着されるカフ本体となるカフ布５と、血圧測定部位の動脈Ｋを圧迫する阻血用空気袋１と、この阻血用空気袋１の下方の略中央部よりも心臓Ｈ側に配置されるサブ空気袋３と、阻血用空気袋１の下方の略中央部に配置されるとともに、脈波を検出する脈波検出用空気袋２を備えている。
【００２８】
阻血用空気袋１とサブ空気袋３は分岐部６ａ、６ｂ、６ｃ、６ｄを介して第１配管６に接続されるとともに、分岐部６ｂ、６ｄの間にオリフィス等の流体抵抗部を備えた第１流体抵抗器２１が図示のように接続されている。
【００２９】
一方、第２流体抵抗器１１が第２配管７に図示のように接続されている。また、この第２配管７の分岐部７ａから分岐してカフ圧検出部１３が接続される一方で、第２流体抵抗器１１は、第１配管から分岐部６ｋされてその加圧流体入口側１１ａが接続されるとともに、その減圧流体入口側１１ｂが第２配管７の分岐部７ａに対して図示のように接続されている。ここで、この第２流体抵抗器１１の流体抵抗は適宜設定されことになるが、上記の第１流体抵抗器２１と同じ流体抵抗を有するオリフィス等の流体抵抗部を備えていても良い。
【００３０】
サブ空気袋３は、阻血用空気袋１の上流側の血圧測定部位と中央部位との間に位置できるように、生体に接する側のカフ組立体１００の心臓に近い方に配置されている。このサブ空気袋３は、図示の大きさに限定されず、図中の左側に阻血用空気袋１から一部がはみ出るようにしても良く、さらに阻血用カフの中央部位から心臓側に配置されるのであれば阻血用空気袋１と同じ上下方向の全長を備えていても良い。
【００３１】
図１に図示される血圧測定装置は、装置本体１０と血圧測定部位に装着されるカフ本体１００（以下、カフと言う）とから別構成されている。
【００３２】
このカフ本体１００は、図示のようにカフ上流部を血圧測定部位の動脈の血流が流れ込む心臓左室側になるようにして装着される。このカフ本体１００は、阻血用空気袋１と脈波検出用空気袋２と上記の第１流体抵抗器１１を介して接続されたサブ空気袋３とをカフ全体を包むカフ布５に設けて構成されており、カフ本体１００を血圧測定部に巻き付けたあとに固定するための雌雄の面ファスナー（不図示）を有している。また、このカフ本体１００は、阻血用空気袋１の生体に接する面と反対の側のカフ布５とカフの間に後述するようにパッキング材からなる裏打部材を設置する場合もある。
【００３３】
一方、配管６の分岐部６ｂ、６ｄからは第３配管６０がさらに接続される場合があり、この第３配管６０に対して第１流体抵抗器１１と並列に接続される逆止弁２２を接続することで、カフ本体１００の加圧時において逆止弁２２により第１流体抵抗器１１をバイパスしてサブ空気袋３を短時間内に加圧することを可能にしている。すなわち、図１において、その流体入口側２２ａが第１配管６に、またその流体出口側２２ｂをサブ空気袋３に接続するように、第１流体抵抗器２１と並列に逆止弁２２を接続することで、加圧時間の短縮化を図ることができる。
【００３４】
このように加圧可能にすることで、例えば被血圧測定者の腕のサイズが大きくなり、サブカフの容積を大きく設定しなければならない場合に、第１流体抵抗器１１を介して加圧するとサブ空気袋３が十分に膨らまなくなる現象を防止できることとなる。
【００３５】
カフ本体１００と本体１０との間はコネクタ３８で着脱可能に接続されているが、一体配管としてもよい。
【００３６】
サブ空気袋３で検出される脈波を消去するために、阻血用空気袋１とサブ空気袋３の間には第１流体抵抗器２１が、また脈波検出用空気袋２には第２流体抵抗器１１が上記のように夫々分岐して接続されている。なお、サブ空気袋３の容量Ｂは、阻血用空気袋１の容量をＡｍｌとして最大（Ａ／２）ｍｌとすることで収縮期血圧の測定時のＳ／Ｎ比が向上することが確認された。
【００３７】
一方、カフ本体１００の第１配管６にはポンプ１８からの空気圧を制御する加圧制御部１９と、減圧の排気制御を行う減圧制御部２０とが図示のように配管されている。
【００３８】
また配管７は、圧力センサを備えたカフ圧検出部１３に接続されており、このカフ圧検出部１３の出力から、この出力に重畳している脈波を検出する脈波検出部１４に対して電気信号を送り、カフ圧力検出部１３からの検出カフ圧信号と脈波検出部１４からの検出脈波信号に基づき血圧検出部１５で血圧値が決定され、決定された血圧値を液晶表示装置などを備えた血圧表示部１６で表示するように構成されている。
【００３９】
また、本体１０は、バッテリーなどの電源部１７を備えており、上記のポンプおよび各制御部の制御を司るとともに、コンピュータにより読取り可能な各種制御プログラムを記憶したＲＯＭ，ＲＡＭ等を含むＣＰＵへの電源供給を行うようにしている。
【００４０】
ここで、流体抵抗器１１、逆止弁２１は双方またはいずれか一方を本体１０内に配設して、サブ空気袋３と別配管を介して接続することで、カフ本体１００の小型軽量化を図るようにしても良い。なお、上記の各検出部１３、１４、１５と表示部１６と、制御部１９、２０は不図示のＣＰＵ７０に内蔵されて、所定プログラムを実行可能にしている。
【００４１】
続いて、図２（ａ）は、カフ本体１００を幅方向に破断し測定部位に装着した後の断面図である。また、図２（ｂ）は動作説明のための拡大配管図である。
【００４２】
図２（ａ）において、サブ空気袋３の圧迫特性を高めるために、阻血用空気袋１とサブ空気袋３との間にパッキング材を含む第１の裏打部材３０が配置されている。また、阻血用空気袋１とカフ布５との間に は、パッキング材を含む第３の裏打部材４０が配置されている。
【００４３】
さらに、阻血用空気袋１と脈波検出用空気袋２との間には、パッキング材を含む第２裏打部材２５が配設されている。
【００４４】
図２（ａ）において、阻血カフ１と同じ圧力でサブ空気袋３が補強され、収縮期血圧測定のタイミングにおいて、阻血カフ１下の上流部に血液Ｋ１が流入することを阻止し、また、阻血用カフの上流側から阻血用カフの中央部に向けて流入する血液Ｋ１により発生される容積変化をサブ空気袋３でガードし、さらにサブ空気袋３に接続された第１流体抵抗器２１により適度に減衰させることで、脈波検出用空気袋２に容積変化が伝わることを防止できるので、血流再開に基づいた阻血カフ１下の下流側の脈波検出用空気袋２の容積変化による脈波変化のみをＳ／Ｎ比を向上させて精度よく検出することが可能になる。
【００４５】
以上のように構成されるカフ本体１００は各種の血圧測定装置に使用できるが、例えば図１に図示の血圧測定装置によれば、記憶された制御プログラムをコンピュータで読み出し、図３の血圧測定ルーチンのフローチャートのように動作することができる。
【００４６】
まず、血圧装置が起動されるとステップＳ１において加圧制御部により加圧が開始されて、図２（ｂ）において破線図示の矢印方向に加圧が行われて、ステップＳ２に進む。このステップＳ２では、予想される収縮期血圧より高い２０〜３０ｍｍＨｇ分以上を設定圧として、阻血用空気袋１の圧力が設定圧力に到ったかをカフ圧力検出部の信号によりチェックし、設定圧力になるまで実行する。阻血用のカフ１の圧力が設定圧になったら加圧制御部は、ステップＳ３において加圧を停止する。ここで、上記の逆止弁２２として電磁弁を用いる場合には、ステップＳ１で開放動作を行い、ステップＳ３で停止動作に同期した閉動作が行われる。
【００４７】
続いてステップＳ４に進み、減圧制御部によりカフ圧力検出部からの信号を用いて、減圧速度が２〜３ｍｍＨｇ/秒になるように、図２（ｂ）において実線図示の矢印方向の減圧が開始される。これに続いてステップＳ５において、カフ圧力検出部からの信号より脈波の検出を開始する。脈波検出部で検出された脈波信号は血圧検出部内の記憶部に送られカフ圧と脈波振幅を一組にして記憶を行う。ステップＳ６において、血圧検出部では、脈波振幅の最大値の検出を行い、脈波振幅が連続して減少することを検出し減少を開始する一つ前の脈波を脈波最大値として検出する。
【００４８】
続いて、ステップＳ７に進み、血圧検出部にて脈波最大値の所定比率以下である、例えば６０％以下になる脈波の検出を行い、その時のカフ圧力を拡張期血圧（最小血圧値）として決定する。拡張期血圧が決定されるとステップＳ８に進み、減圧制御部により急速排気される。そしてステップＳ９において、血圧検出部で記億されたカフ圧力と脈波振幅が一組になっているデータから、減圧開始してから最初に脈波振幅が所定値以上の例えば５０%以上急に大きくなる変化を検出して、振幅が急に大きくなった脈波の圧力値を収縮期血圧として決定する。このようにして決定されるとステップＳ１０で、収縮期血圧値と拡張期血圧値の血圧表示部に表示して、一連の血圧計測動作を終了する。
【００４９】
図４は、血圧決定部に記憶された脈波振幅とカフ圧を時系列に表示したものである。（ａ）は、サブ空気袋を用いない場合の検出脈波振幅変化を示し、（ｂ）は本発明のサブ空気袋を用いた場合の検出脈波振幅変化を示す。
【００５０】
図示のように図４（ａ）の波形と比較して、図４（ｂ）の波形は、収縮期血圧検出タイミングの脈波振幅変化が明瞭である。
【００５１】
以上のように、カフ圧力が収縮期血圧より高い圧力の時でも、阻血用カフのカフ下上流部に侵入する血流をサブ空気袋により阻止できるので、血流再開により発生する脈波変化をＳ／Ｎ比の良い状態で検出することが可能となり、収縮期血圧値の決定精度を向上することができた。
【図面の簡単な説明】
【００５２】
【図１】本発明の一実施形態の血圧測定装置を示すブロック図である。
【図２】（ａ）は、図１のカフ本体１００の断面図、（ｂ）は拡大配管図である。
【図３】図１の血圧測定装置の動作説明フローチャートである。
【図４】（ａ）は、サブ空気袋を用いない場合の検出脈波振幅変化、（ｂ）は本発明のサブ空気袋を用いた場合の検出脈波振幅変化について、血圧決定部に記憶された脈波振幅とカフ圧を時系列に表示した図表である。
【符号の説明】
【００５３】
１  阻血用空気袋
２  脈波検出用空気袋
３  サブ空気袋
５  カフ布
６  第１配管
７  第２配管
１１  第２流体抵抗器
２１  第１流体抵抗器
２２  逆止弁
１０  本体
１００  カフ本体
【図１】
2008005926.tif 000003
【図２】
2008005926.tif 000004
【図３】
2008005926.tif 000005
【図４】
2008005926.tif 000006